(57)【要約】【課題】履物の個々の使用者に応じて足裏のアーチ構造をサポートすることが可能な中敷を提供する。【解決手段】本発明の中敷は、一方の面に調整部材を貼り付けることによって形状の調整が可能な中敷であって、一方の面に、調整部材の貼り付けを補助する貼付補助線が設けられている。【選択図】図１
2020195664.tif 000002
【特許請求の範囲】
【請求項１】
一方の面に調整部材を貼り付けることによって形状の調整が可能な中敷であって、
前記一方の面に、前記調整部材の貼り付けを補助する貼付補助線が設けられている中敷。
【請求項２】
前記一方の面に、前記貼付補助線によって複数の領域が形成されている請求項１に記載の中敷。
【請求項３】
前記複数の領域が、前記調整部材を貼り付けたとき、使用者の足裏のアーチ構造をサポートするように設けられている請求項２に記載の中敷。
【請求項４】
前記複数の領域に、それぞれの領域を識別するための識別情報が付されている請求項２又は３に記載の中敷。
【請求項５】
一方の面に調整部材を貼り付けることによって形状の調整が可能な中敷に対して調整部材を貼り付ける際に使用するシートであって、
前記一方の面に対応する範囲に、前記調整部材の貼り付けを補助する貼付補助線が設けられている中敷用位置決めシート。
【請求項６】
前記一方の面に対応する範囲に、前記貼付補助線によって複数の領域が形成されている請求項５に記載の中敷用位置決めシート。
【発明の詳細な説明】
【技術分野】
【０００１】
本発明は、履物用の中敷に関し、より詳細には、使用者の足裏のアーチ構造をサポートし、かつ、調整部材の位置決めが容易な中敷及び中敷用位置決めシートに関する。
【背景技術】
【０００２】
人間の足裏には、図４に示すように、内側縦アーチ、外側縦アーチ及び横アーチの３つのアーチが形成されている。これら３つのアーチは、主に骨、筋肉及び靭帯により構成され、走行時の衝撃を緩和する働きや、立位時のバランス能力を向上させる働きがあるため、これらアーチの構造が不全であると、扁平足や開張足等の足部形状の変形につながり、変形が重症化すると歩行困難となる場合もある。よって、足裏のアーチ構造をサポートすることの重要性が高まっている。
【０００３】
従来、足裏のアーチ構造をサポートするために、足裏と履物の内底との間の隙間を埋めるべく、上面（足裏と接する面）に種々の突起部や隆起部を設けた中敷（インソール）が提案されている。例えば、特許文献１には、足裏のアーチ構造をサポートするために、クッション性のある弾性材料からなり、上面に種々の凹部及び隆起部を形成した歩行用履物又はスニーカーの中底又はインソールが開示されている。また、つま先や踵等、足裏の特定の位置を補整するために、履物の内底又は中敷に直接貼り付けることができるパッドも市販されている。
【０００４】
しかしながら、足裏の形状は履物の使用者によって異なるため、特許文献１に記載されるように、突起部及び隆起部の位置が特定されている従来の中敷では、個々の使用者に応じて足裏のアーチ構造を適切にサポートすることは難しい。また、市販のパッドでは、足裏の特定の位置を補整しようとした場合に、貼り付け位置を販売者や使用者が感覚的に決めるため、貼り付け位置の決定が曖昧になり、適切な位置に調整部材を貼ることが難しい。よって、使用者は、アーチ構造のサポートが不全であることによる歩行時の不安定性や疲れやすさ等の症状の改善を期待して上述のような中敷を使用してはいるものの、本来得られるはずの効果や効能が十分に得られてはいないというのが実状である。
【先行技術文献】
【特許文献】
【０００５】
【特許文献１】特開２０１４−１４７６２２号公報
【発明の概要】
【発明が解決しようとする課題】
【０００６】
本発明は上述のような事情に基づいてなされたものであり、履物の個々の使用者に応じて足裏のアーチ構造をサポートすることが可能であり、かつ、調整部材の位置決めが容易な中敷及び中敷用位置決めシートの提供を目的とする。
【課題を解決するための手段】
【０００７】
上記課題を解決するために、第一に本発明は、一方の面に調整部材を貼り付けることによって形状の調整が可能な中敷であって、前記一方の面に、前記調整部材の貼り付けを補助する貼付補助線が設けられている中敷を提供する（発明１）。
【０００８】
かかる発明（発明１）によれば、中敷の一方の面に、調整部材の貼り付けを補助する貼付補助線が設けられているので、貼付補助線に沿って調整部材を貼り付けるだけで、調整部材の位置決めを容易に行うことができ、個々の使用者に応じて簡単に足裏のアーチ構造をサポートすることができる。
【０００９】
上記発明（発明１）においては、前記一方の面に、前記貼付補助線によって複数の領域が区画されていることが好ましい（発明２）。
【００１０】
かかる発明（発明２）によれば、貼付補助線によって複数の領域が形成されているので、調整部材の位置決めがより容易になる。
【００１１】
上記発明（発明２）においては、前記複数の領域が、前記調整部材を貼り付けたとき、使用者の足裏のアーチ構造をサポートするように設けられていることが好ましい（発明３）。
【００１２】
かかる発明（発明３）によれば、複数の領域のうち、適切な領域に調整部材を貼り付けることにより、個々の使用者に応じて簡単に足裏のアーチ構造をサポートすることができる。
【００１３】
上記発明（発明２，３）においては、前記複数の領域に、それぞれの領域を識別するための識別情報が付されていることが好ましい（発明４）。
【００１４】
かかる発明（発明４）によれば、複数の領域のうちどの領域に調整部材を貼り付ければよいかを、各領域に付された識別情報に従って決定することができるので、個々の使用者に応じてより簡単に足裏のアーチ構造をサポートすることができる。
【００１５】
第二に本発明は、一方の面に調整部材を貼り付けることによって形状の調整が可能な中敷に対して調整部材を貼り付ける際に使用するシートであって、前記一方の面に対応する範囲に、前記調整部材の貼り付けを補助する貼付補助線が設けられている中敷用位置決めシートを提供する（発明５）。
【００１６】
かかる発明（発明５）によれば、中敷の一方の面に対応する範囲に、調整部材の貼り付けを補助する貼付補助線が設けられているので、当該中敷用位置決めシートを、中敷の一方の面に重ねて使用することにより、貼付補助線に沿って調整部材を貼り付けるだけで、調整部材の位置決めを容易に行うことができ、個々の使用者に応じて簡単に足裏のアーチ構造をサポートすることができる。
【００１７】
上記発明（発明５）においては、前記一方の面に対応する範囲に、前記貼付補助線によって複数の領域が形成されていることが好ましい（発明６）。
【００１８】
かかる発明（発明６）によれば、貼付補助線によって複数の領域が形成されているので、調整部材の位置決めがより容易になる。
【発明の効果】
【００１９】
本発明の履物用中敷によれば、中敷の一方の面に、調整部材の貼り付けを補助する貼付補助線が設けられているので、貼付補助線に沿って調整部材を貼り付けるだけで、調整部材の位置決めを容易に行うことができ、個々の使用者に応じて簡単に足裏のアーチ構造をサポートすることができる。
【図面の簡単な説明】
【００２０】
【図１】本発明の一実施形態に係る中敷（左足用）を示す模式図であって、（ａ）は足裏との対向面側を示す平面図、（ｂ）は履物の内底との対向面側を示す平面図である。
【図２】図１の中敷を示す分解斜視図である。
【図３】本発明の一実施形態に係る中敷用位置決めシートを示す模式図である。
【図４】人間の足裏（右足）に形成される３つのアーチを骨格構造とともに示す図であって、（ａ）は足裏側から見た模式図、（ｂ）は左斜め前側から見た斜視図である。
【発明を実施するための形態】
【００２１】
〔中敷〕
本発明の中敷の実施の形態について、適宜図面を参照して説明する。以下に説明する実施形態は、本発明の理解を容易にするためのものであって、何ら本発明を限定するものではない。なお、図１及び図２は、左足用の中敷を示している。本発明の中敷は、右足用と左足用とが対称であるため、以下では左足用について説明し、右足用については図面及び説明を省略する。また、以下では、つま先側を前側とし踵側を後側として、前後方向に対し側方を左右として説明している。また、足裏の土踏まず側を内側、土踏まず側の逆側を外側として説明している。
【００２２】
図１は、本発明の一実施形態に係る中敷１０を示す図であって、図１（ａ）は足裏との対向面Ｘ側を示す模式図、図１（ｂ）は履物の内底との対向面Ｙ側を示す模式図である。図１に示す中敷１０は、履物の内底との対向面Ｙに、後述する調整部材（不図示）を貼り付けることによって、足裏との対向面Ｘの凹凸形状の調整が可能である。中敷１０には、履物の内底との対向面Ｙに、調整部材の貼り付けを補助する貼付補助線１が設けられている。
【００２３】
中敷１０は、履物の内底の輪郭に沿った外形を有し、図２に示すように、上面層１１と下面層１３との間に中間層１２が挟持された構造である。本実施形態において、下面層１３は、中敷１０の後側の略半分の範囲にのみ配置されるため、中敷１０の履物の内底との対向面Ｙは、前側が中間層１２によって、後側が下面層１３によって、連続的に構成されている。なお、図１（ｂ）においては、中間層１２と下面層１３との境界を便宜的に破線で示している。
【００２４】
上面層１１は、足裏に接する部分であって、足裏全体を支持するよう設けられる。上面層１１の素材としては、履物の内底で足裏が滑るのを防ぐように足裏との密着性が高くかつ、柔軟性及び通気性に優れた素材が好ましく、コットンファイバーを用いた不織布又は織布シート、ポリエステルメッシュ編生地、発泡ポリウレタン樹脂や発泡ポリエチレン等の多孔質シート等が挙げられるが、これらに制限されるものではない。上面層１１の厚さは、約０．５〜１．０ｍｍである。
【００２５】
中間層１２は、中敷１０にクッション性を付与するものであって、上面層１１と略同様の外形を有する。中間層１２の素材としては、中敷１０にクッション性を付与することができればよく、特に制限されるものではないが、例えば、ＥＶＡ樹脂等が挙げられる。中間層１２の厚さは、約２．０〜３．５ｍｍである。
【００２６】
下面層１３は、図２に示すように、足裏の特に踵を支持するよう、後側部分の周囲が立ち上がった形状、いわゆるヒールカップ形状を有する。下面層１３がこのような形状を有することにより、歩行時の踵への衝撃が緩和されるとともに、踵の横滑りが抑制されるので、立位時及び歩行時の安定性が向上する。下面層１３の素材としては、ヒールカップ形状の安定性を維持できる素材が好ましく、ＥＶＡ（エチレン・酢酸ビニル共重合体）、エラストマー樹脂、弾性ポリウレタン、コルク、ゴム、合成皮革、人工皮革等が挙げられるが、これらに制限されるものではない。下面層１３の厚さは、約１．０〜１．５ｍｍである。
【００２７】
中敷１０には、図１に示すように、履物の内底との対向面Ｙに、調整部材の貼り付けを補助する貼付補助線１が設けられている。貼付補助線１は、調整部材の貼り付け位置を面方向に沿って規定するものであって、この貼付補助線１によって複数の領域２が区画形成されている。このように、中敷１０には貼付補助線１が設けられているので、貼付補助線１に沿って調整部材を貼り付けるだけで、調整部材の位置決めを容易に行うことができ、個々の使用者の足裏の形状に応じて、足裏のアーチ構造をサポートする中敷１０を簡単に提供することが可能となる。また、貼付補助線１によって複数の領域２が区画形成されていることにより、調整部材の位置決めをより容易に行うことが可能となる。
【００２８】
また、中敷１０は、足裏との対向面に突起部や隆起部を設けた従来の中敷とは異なり、履物の内底との対向面Ｙに調整部材を貼り付けるよう構成されているため、調整部材が足裏を直接刺激しないので、長時間の使用による押圧や刺激を原因とする痛みが生じるのを防ぐことができる。
【００２９】
貼付補助線１は、図１に示すように、前後方向、左右方向及び斜め方向に延びる直線や、曲線によって構成されており、本実施形態においては凹溝である。凹溝であることにより、塗料等で引かれた線である場合に比べて、貼付補助線１が薄れたり消えたりするのを抑制することができる。
【００３０】
複数の領域２は、調整部材を貼り付けたときに、主に使用者の足裏のアーチ構造をサポートするように設けられている。本実施形態において複数の領域２は、図１に示すように、大きく領域Ａ−Ｌまでの１２の領域により構成され、領域Ａ−Ｌそれぞれが、さらに１−３又は１−４の小領域に区画されている。
【００３１】
これら複数の領域２には、それぞれの領域を識別するための識別情報が付されている。識別情報とは、中敷１０に設けられた領域Ａ−Ｌ（及び各小領域１−３（又は４））と、これら各領域に調整部材を貼り付けたときの足裏へのサポート機能とを結びつける情報である。本実施形態においては、図１に示すように、複数の領域２に、それぞれの領域を識別する識別情報と結びついた識別番号として、各領域Ａ−Ｌ（及び各小領域１−３（又は４））の符号を標記している。複数の領域２に、それぞれの領域を識別する識別情報と結びついた識別番号を標記していることにより、複数の領域２のうちどの領域に調整部材を貼り付ければよいかを、識別番号に従って決定することができ、個々の使用者の足裏の形状に応じて、足裏のアーチ構造をサポートする中敷１０を簡単に提供することが可能となる。
【００３２】
具体的には、例えば、図１において識別番号「Ｉ」で示される左側の領域は、足裏の土踏まずに対応する領域を含んでおり、調整部材を貼り付けたときに、主に土踏まずを押圧して、足裏と履物の内底との間の隙間を埋めることにより、足裏のアーチ構造をサポートするとともに、足の痛みや疲れを軽減する機能がある。よって、土踏まずの押圧による足裏のアーチ構造のサポート等が必要とされる使用者には、識別番号「Ｉ」が標記されている領域に調整部材を貼り付ければよい。識別番号「Ｉ」が標記されている領域は、小領域１−４に区画されているので、使用者に応じて調整部材を貼り付ける位置を微調整することもできる。この場合、例えば、特に土踏まずの全体の押圧が必要とされる使用者には、識別番号「Ｉ−４」で示される領域に調整部材を貼り付ければよい。
【００３３】
図１において識別番号「Ｆ」で示される中央の領域は、足裏のアーチ構造の形成に影響が大きい中足骨に対応する領域を含んでおり、調整部材を貼り付けたときに、主に中足骨を押圧して、足裏と履物の内底との間の隙間を埋めることにより、足裏のアーチ構造をサポートし、立位時及び歩行時の安定性を向上させる機能がある。よって、中足骨の押圧によるアーチ構造のサポートが必要とされる使用者には、識別番号「Ｆ」が標記されている領域に調整部材を貼り付ければよい。
【００３４】
また、複数の領域２には、調整部材を貼り付けたときに、足裏のアーチ構造をサポートすることに加えて、メカノレセプター（感覚受容器）を活性化する働きがある領域もある。メカノレセプターとは、位置情報、動作速度、圧力等の立位姿勢を制御するために必要な情報を収集する神経器官であり、足裏、特に第一趾（拇指）及び踵に集中して存在している。足裏のメカノレセプターを活性化することで、正しい立位姿勢が誘導され、足の各機能が高められるとされている。
【００３５】
具体的には、例えば、図１において識別番号「Ａ」で示される領域は、第一趾に対応する領域を含んでおり、調整部材を貼り付けたときに、主に第一趾を刺激することで、メカノレセプターを活性化する働きがある。よって、第一趾の刺激によるメカノレセプターの活性化が必要とされる使用者には、識別番号「Ａ」が標記されている領域に調整部材を貼り付ければよい。識別番号「Ａ」が標記されている領域は、小領域１−３に区画されているので、使用者に応じて調整部材を貼り付ける位置を微調整することもできる。この場合、例えば、特に第一趾の右側の刺激が必要とされる使用者には、識別番号「Ａ−３」で示される領域に調整部材を貼り付ければよい。
【００３６】
図１において識別番号「Ｋ」及び「Ｌ」で示される領域は、踵に対応する領域を含んでおり、調整部材を貼り付けたときに、主に踵を押圧することで、メカノレセプターを活性化する働きがある。よって、踵の押圧によるメカノレセプターの活性化が必要とされる使用者には、識別番号「Ｋ」及び「Ｌ」が標記されている領域に調整部材を貼り付ければよい。識別番号「Ｋ」及び「Ｌ」が標記されている領域はそれぞれ、小領域１−３に区画されているので、使用者に応じて調整部材を貼り付ける位置を微調整することもできる。この場合、例えば、特に踵の内側の押圧が必要とされる使用者には、識別番号「Ｋ−３」及び「Ｌ−３」で示される領域に調整部材を貼り付ければよい。
【００３７】
上述した中敷１０の製造方法については、特に制限されるものでなく、例えば、上面層１１と、下面層１３との間に中間層１２を挟持させ、接着剤を使用して、加熱した金型で一体成形すると同時に接着せしめることにより製造することができる。中間層１２と下面層１３に渡って設けられる貼付補助線１としての凹溝は、一体成形の際に形成されてもよいし、一体成形後に別途形成されてもよい。
【００３８】
なお、本実施形態の中敷１０に使用する調整部材としては、中敷１０の履物の内底との対向面Ｙに貼り付けることにより、中敷１０の足裏との対向面Ｘの凹凸形状の調整が可能であればよく、市販のものを使用してもよい。例えば、調整部材は、中敷１０の履物の内底との対向面Ｙに設けられる各領域Ａ−Ｌ（及び各小領域１−３（又は４））の外形に対応した外形を有する複数の異なる調整部材であってもよい。また、調整部材は、これらのいずれの領域にも対応可能であるように、最小の外形を有する領域と同程度の外形を有する一の調整部材であってもよい。この場合、貼り付ける領域の外形に合わせて、調整部材を並べたり集めたりして貼り付ければよい。さらに、調整部材は、いくつかの隣接する領域全体の外形に対応した外形を有する複数の異なる調整部材であってもいい。
【００３９】
調整部材の厚みは、３．０ｍｍから７．０ｍｍ程度であることが好ましいが、これに制限されるものではなく、使用者の症状や足部形態の状況等に応じて適宜設定することができる。
【００４０】
調整部材の素材としては、中敷１０に貼り付けた際、特に立位時及び歩行時に、足裏を適切に押圧又は刺激することができれば特に制限されるものではなく、使用者の症状や足部形態の状況等に応じて適宜設定することができ、例えば、低反発スポンジ、ＥＶＡ（エチレン・酢酸ビニル共重合体）、エラストマー樹脂、弾性ポリウレタン、コルク、ゴム等が使用できる。なお、調整部材の裏面（中敷１０と接する面）は、中敷１０に貼り付け可能であればよく、その手段は特に限定されない。例えば、調整部材の裏面には、剥離紙によって保護された粘着剤層や接着剤層が形成されていてもよい。
【００４１】
〔中敷用位置決めシート〕
本発明の中敷用位置決めシートの実施の形態について、適宜図面を参照して説明する。以下に説明する実施形態は、本発明の理解を容易にするためのものであって、何ら本発明を限定するものではない。なお、図３において、左側は右足用の中敷用位置決めシートを、右側は左足用の中敷用位置決めシートを、それぞれ示している。本発明の中敷用位置決めシートは、右足用と左足用とが対称であるため、以下では左足用について説明し、右足用については説明を省略する。
【００４２】
図３は、本発明の一実施形態に係る中敷用位置決めシート１００を示す図である。図３に示す中敷用位置決めシート１００は、履物の内底との対向面に調整部材を貼り付けることによって形状の調整が可能な中敷に対して、調整部材を貼り付ける際に使用するものであって、かかる中敷は、履物の内底との対向面に、上述の調整部材を貼り付けることによって、足裏との対向面Ｘの凹凸形状の調整が可能である。中敷用位置決めシート１００には、中敷の履物の内底との対向面に対応する範囲に、調整部材の貼り付けを補助する貼付補助線１０１が設けられている。
【００４３】
中敷用位置決めシート１００は、透明なシート状部材から製造される。透明なシート状部材としては、中敷の履物の内底との対向面に重ねて使用することができれば、その素材は特に制限されるものではなく、例えば、ポリエステル、ポリプロピレン、セロハン、ポリカーボネート、酢酸セルロース等のシートを用いることができる。また、透明なシート状部材としては、実質上透明なシートであってもよく、半透明の合成紙、トレーシングペーパー等であってもよい。
【００４４】
中敷用位置決めシート１００には、図３に示すように、履物の内底の輪郭に沿った輪郭線１０３が設けられ、この輪郭線１０３の内側に、調整部材の貼り付けを補助する貼付補助線１０１が設けられている。貼付補助線１０１は、調整部材の貼り付け位置を面方向に沿って規定するものであって、この貼付補助線１０１によって複数の領域１０２が区画形成されている。このように、中敷用位置決めシート１００には貼付補助線１０１が設けられているので、中敷の履物の内底との対向面に重ねて使用することにより、貼付補助線１０１に沿って調整部材を貼り付けるだけで、調整部材の位置決めを容易に行うことができる。また、貼付補助線１０１によって複数の領域１０２が区画形成されていることにより、調整部材の位置決めをより容易に行うことが可能となる。
【００４５】
貼付補助線１０１は、図３に示すように、輪郭線１０３の内側に設けられており、前後方向、左右方向及び斜め方向に延びる直線や、曲線によって構成されている。複数の領域１０２は、中敷用位置決めシート１００を使用して中敷に調整部材を貼り付けたときに、主に使用者の足裏のアーチ構造をサポートするように設けられている。本実施形態において複数の領域２は、図３に示すように、大きく領域Ａ−Ｌまでの１２の領域により構成され、領域Ａ−Ｌそれぞれが、さらに１−３又は１−４の小領域に区画されている。本実施形態において、輪郭線１０３及び貼付補助線１０１は、透明な中敷用位置決めシート１００に、印刷により表示されている。
【００４６】
これら複数の領域１０２には、それぞれの領域を識別するための識別情報が付されている。なお、中敷用位置決めシート１００の複数の領域１０２に付された識別情報は、上述の中敷１０の複数の領域１２に付された識別情報と同様であるため、詳細な説明を省略する。
【００４７】
上述した中敷用位置決めシート１００の製造方法については、特に制限されるものでなく、例えば、業務用プリンタ等において熱転写方式を用いて透明なシート状部材に輪郭線１０３及び貼付補助線１０１を含む画像を印刷した後、透明なシート状部材を適当なサイズに切断することにより製造することができる。なお、図３において、中敷用位置決めシート１００は、右足用と左足用が一枚のシートに印刷されているが、これに制限されるものではなく、右足用と左足用が別々のシートに印刷されていてもよい。
【００４８】
以上、本発明について図面を参照にして説明してきたが、本発明は上記実施形態に限定されず、種々の変更実施が可能である。上記実施形態においては、履物の内底との対向面に調整部材を貼り付けることによって形状の調整が可能な中敷について説明しているが、本発明の中敷は、一方の面に調整部材を貼り付けることによって形状の調整が可能であればよく、したがって、貼付補助線及び貼付補助線によって形成される複数の領域は、足裏との対向面に設けられていてもよい。また、上記実施形態において、貼付補助線は凹溝であるが、これに限られるものではなく、例えば凸条であってもよいし、塗料等で引かれた線であってもよい。
【００４９】
また、上記実施形態においては、中敷の履物の内底との対向面に対応する範囲に、調整部材の貼り付けを補助する貼付補助線が設けられている中敷用位置決めシートについて説明しているが、本発明の中敷用位置決めシートは、中敷の一方の面に調整部材を貼り付けることによって形状の調整が可能であるように使用されればよく、したがって、貼付補助線及び貼付補助線によって形成される複数の領域は、中敷の足裏との対抗面に対応する範囲に設けられていてもよい。また、上記実施形態において、輪郭線及び貼付補助線は印刷により表示されているが、これに限られるものではなく、例えば凹溝や凸条であってもよい。      
【００５０】
以上のように、本発明の中敷及び中敷用位置決めシートによれば、貼付補助線に沿って調整部材を貼り付けるだけで、調整部材の位置決めを容易に行うことができ、個々の使用者の足裏の形状に応じて簡単に足裏のアーチ構造をサポートすることができる。また、貼付補助線によって複数の領域が区画形成されていることにより、調整部材の位置決めをより容易に行うことができる。
【産業上の利用可能性】
【００５１】
本発明は、使用者の足裏のアーチ構造をサポートし、かつ、調整部材の位置決めが容易な中敷及び中敷用位置決めシートとして有用である。
【符号の説明】
【００５２】
１０  中敷
１  上面層
２  中間層
３  下面層
１１  貼付補助線
１２  領域
Ｘ  足裏との対向面
Ｙ  履物の内底との対向面
１００  中敷用位置決めシート
１０１  貼付補助線
１０２  領域
１０３  輪郭線
【図１】
2020195664.tif 000003
【図２】
2020195664.tif 000004
【図３】
2020195664.tif 000005
【図４】
2020195664.tif 000006